(57)【要約】  本発明は、排気ＮＯＸレベルを制御する１つ以上の装置を有する排気後処理システム（ＥＡＴＳ）を備えるディーゼルエンジンの動作方法に関する。前記エンジンは、複数のシステム及び部品を備え、前記複数のシステム及び部品の少なくとも一部は、前記エンジンの１つ以上の基礎アクチュエータの１つ以上の制御セットポイントに設定される。前記方法は、複数のエンジン動作モードを規定する工程において、前記動作モードの夫々は、少なくとも１つの制御セットポイントについてその他の任意の動作モードと異なる工程と、前記動作モードの夫々について、燃料経済性に対して前記ＥＡＴＳから排出されるＮＯＸレベルをマッピングする工程と、を含む。【選択図】図１
2016502029.tif 000002
【特許請求の範囲】
【請求項１】
排気ＮＯＸレベルを制御する１つ以上の装置を有する排気後処理システム（ＥＡＴＳ）を備えるディーゼルエンジンの動作方法において、前記エンジンは、複数のシステム及び部品を備え、前記複数のシステム及び部品の少なくとも一部は、前記エンジンの１つ以上の基礎アクチュエータの１つ以上の制御セットポイントに設定されるように構成される方法であって、
複数のエンジン動作モードを規定する工程において、前記動作モードの夫々は、少なくとも１つの制御セットポイントについてその他の任意の動作モードと異なる工程と、
前記動作モードの夫々について、燃料経済性に対して前記ＥＡＴＳから排出されるＮＯＸレベルをマッピングする工程と、
前記ＥＡＴＳから排出される排気が所定のＮＯＸレベル以上のＮＯＸを含まず、最小量の燃料が単位エネルギー毎に消費されるように、前記複数の動作モードから１つを選択する工程と、
前記選択された動作モードで前記エンジンを動作させる工程と、を含むことを特徴とする方法。
【請求項２】
前記マッピング工程は、前記動作モードの夫々について、異なるエンジン速度及び負荷で費やす時間の記録、ならびに、前記記録されたエンジン速度及び負荷での燃料経済性及びＮＯＸレベルの記録を行う工程を含むことを特徴とする請求項１に記載の方法。
【請求項３】
前記マッピング工程は、前記動作モードの夫々について、異なるエンジン速度及び負荷で費やす時間の記録を更新する工程を含むことを特徴とする請求項２に記載の方法。
【請求項４】
前記マッピング工程は、前記動作モードの夫々について、前記異なるエンジン速度及び負荷での燃料経済性及びＮＯＸレベルの記録を更新する工程を含むことを特徴とする請求項３に記載の方法。
【請求項５】
前記動作モードの夫々について、前記エンジンは、１つ以上のエンジン動作パラメータを調整することによって、高ＮＯＸモードと低ＮＯＸモードとの間を補間するように構成され、１つ以上のエンジン動作パラメータを調整することによって、前記選択された動作モードにおいて前記高ＮＯＸモードと前記低ＮＯＸモードとの間の範囲の少なくとも一部に沿って補間する工程をさらに含むことを特徴とする請求項１に記載の方法。
【請求項６】
前記エンジンが、前記選択された動作モードにおいて、排気ＮＯＸレベルが前記所定のＮＯＸレベルかそれ以下になる地点を超えないところまで前記高ＮＯＸモードに向かって補間するように、１つ以上の動作エンジンパラメータを調整する工程をさらに含むことを特徴とする請求項５に記載の方法。
【請求項７】
前記選択された動作モードでの動作中に前記エンジンが前記高ＮＯＸモードに向かって補間するように１つ以上の動作エンジンパラメータを調整する工程と、ＮＯＸレベルが前記所定のＮＯＸレベルに到達するかそれ以前に、前記ＥＡＴＳから排出される排気が前記所定のＮＯＸレベル以上のＮＯＸを含まず、前記最小量の燃料が単位エネルギー毎に消費されるように、前記複数の動作モードから１つの異なるエンジン動作モードを選択する工程と、をさらに含むことを特徴とする請求項５に記載の方法。
【請求項８】
前記ディーゼルエンジンは、シリンダ吸気弁と、シリンダ排気弁と、燃料噴射弁と、燃料ポンプと、圧縮機と、タービンと、ターボ過給機と、吸気絞り弁と、給気冷却器と、排ガス再循環弁を有する排ガス再循環ラインとのうちの１つ以上を備え、前記制御セットポイントは、シリンダ吸気弁開弁タイミングと、シリンダ排気弁開弁タイミングと、燃料噴射弁開弁タイミングと、燃料ポンプ圧力と、圧縮機給気圧と、タービン背圧と、吸気絞り弁位置と、燃焼室温度と、排ガス再循環弁位置とのうちの１つ以上を含むことを特徴とする請求項１に記載の方法。
【請求項９】
前記マッピング工程は、前記ＥＡＴＳを通る排気質量又は体積流量、前記ＥＡＴＳから排出されるＮＯＸレベル、及び前記ＥＡＴＳにおける温度を決定する工程を含むことを特徴とする請求項１に記載の方法。
【請求項１０】
前記ＥＡＴＳにおける温度は、選択触媒還元（ＳＣＲ）触媒の温度を含むことを特徴とする請求項９に記載の方法。
【請求項１１】
トリガイベントの発生後に前記選択工程及び前記動作工程を繰り返す工程をさらに含むことを特徴とする請求項１に記載の方法。
【請求項１２】
前記トリガイベントは、所定時間の経過を含むことを特徴とする請求項１１に記載の方法。
【請求項１３】
前記動作モードの夫々について、燃料経済性に対する前記ＥＡＴＳから排出されるＮＯＸレベルのマップを少なくとも周期的に更新する工程をさらに含むことを特徴とする請求項１に記載の方法。
【請求項１４】
前記動作モードの夫々について、前記マップを継続的に更新する工程をさらに含むことを特徴とする請求項１３に記載の方法。
【請求項１５】
排気ＮＯＸレベルを制御する１つ以上の装置を有する排気後処理システム（ＥＡＴＳ）を備えるディーゼルエンジンの動作方法において、
前記エンジンの複数の基礎アクチュエータの第１の一連の制御セットポイントを使用する第１モードで前記エンジンを動作させる工程と、
前記複数の基礎アクチュエータの第２の一連の制御セットポイントを使用する第２モードで前記エンジンを動作させる工程において、前記第１及び第２の一連の制御セットポイントの少なくとも１つが互いに異なる工程と、
前記第１及び第２モードにおいて、複数のエンジン速度及び負荷について、前記ＥＡＴＳを通る排気質量又は体積流量、前記ＥＡＴＳから排出されるＮＯＸレベル、及び前記ＥＡＴＳにおける温度を前記エンジンに対して追跡をする工程と、
一定のエンジン速度及び負荷について、前記ＥＡＴＳから排出される排気が所定のＮＯＸレベル以上のＮＯＸを含まず、最小量の燃料が単位エネルギー毎に消費されるように、前記第１及び第２モードの１つが選択される工程と、を含む方法。
【請求項１６】
前記第１及び第２の動作モードの夫々について、前記エンジンは、１つ以上のエンジン動作パラメータを調整することによって、高ＮＯＸモードと低ＮＯＸモードとの間を補間するように構成され、１つ以上のエンジン動作パラメータを調整することによって、前記選択された動作モードにおいて前記高ＮＯＸモードと前記低ＮＯＸモードとの間の範囲の少なくとも一部に沿って補間する工程をさらに含むことを特徴とする請求項１５に記載の方法。
【請求項１７】
前記選択された動作モードでの動作中に前記エンジンが前記高ＮＯＸモードに向かって補間するように１つ以上の動作エンジンパラメータを調整する工程と、ＮＯＸレベルが前記所定のＮＯＸレベルに到達するかそれ以前に、前記ＥＡＴＳから排出される排気が前記所定のＮＯＸレベル以上のＮＯＸを含まないように、別のエンジン動作モードを選択する工程と、をさらに含むことを特徴とする請求項１６に記載の方法。
【請求項１８】
排気後処理システム（ＥＡＴＳ）を有するディーゼルエンジンと、
前記ＥＡＴＳから排出されるＮＯＸレベルを検出するように配置されるＮＯＸセンサと、
前記ＮＯＸセンサから信号を受信するように配置される制御部と、を備え、
前記制御部は、複数のエンジン動作モードについて、燃料経済性に対する前記ＥＡＴＳから排出されるＮＯＸレベルのマップを含み、前記エンジン動作モードの夫々は、前記エンジンの少なくとも１つの基礎アクチュエータについて、その他の任意のエンジン動作モードと異なり、前記制御部は、プログラム化されており、それにより、前記複数の動作モードの１つを選択し、一定のエンジン速度及び負荷について、前記ＥＡＴＳから排出される排気が所定ＮＯＸレベル以上のＮＯＸを含まず、最小量の燃料が単位エネルギー毎に消費されるように、前記選択された動作モードで前記エンジンを動作させることを特徴とするディーゼルエンジン装置。
【請求項１９】
前記ディーゼルエンジンは、シリンダ吸気弁と、シリンダ排気弁と、燃料噴射弁と、燃料ポンプと、圧縮機と、タービンと、ターボ過給機と、吸気絞り弁と、給気冷却器と、排ガス再循環弁を有する排ガス再循環ラインとのうちの１つ以上を備え、制御セットポイントは、シリンダ吸気弁開弁タイミングと、シリンダ排気弁開弁タイミングと、燃料噴射弁開弁タイミングと、燃料ポンプ圧力と、圧縮機給気圧と、タービン背圧と、吸気絞り弁位置と、燃焼室温度と、排ガス再循環弁位置とのうちの１つ以上を含むことを特徴とする請求項１８に記載のディーゼルエンジン装置。
【請求項２０】
前記動作モードの夫々について、前記エンジンは、１つ以上のエンジン動作パラメータを調整することによって、高ＮＯＸモードと低ＮＯＸモードとの間を補間するように構成され、前記制御部は、前記エンジンが、前記選択された動作モードにおいて、排気ＮＯＸレベルが前記所定のＮＯＸレベルかそれ以下になる地点を超えないところまで前記高ＮＯＸモードに向かって補間可能なように、プログラム化されていることを特徴とする請求項１８に記載のディーゼルエンジン装置。
【請求項２１】
前記制御部がプログラム化されており、それにより、前記選択された動作モードでの動作中に前記エンジンが前記高ＮＯＸモードに向かって補間するように１つ以上の動作エンジンパラメータを調整するときに、ＮＯＸレベルが前記所定のＮＯＸレベルに到達するかそれ以前においては、前記ＥＡＴＳから排出される排気が前記所定のＮＯＸレベル以上のＮＯＸを含まず、前記最小量の燃料が単位エネルギー毎に消費されるように、前記複数の動作モードから異なるエンジン動作モードが選択されることを特徴とする請求項２０に記載のディーゼルエンジン装置。
【請求項２２】
前記制御部は、トリガイベントの発生後、動作モードの選択、ならびに、前記動作モードでの動作を行うように、プログラム化されていることを特徴とする請求項１８に記載のディーゼルエンジン装置。
【請求項２３】
前記トリガイベントは、所定時間の経過を含むことを特徴とする請求項２２に記載のディーゼルエンジン装置。
【請求項２４】
前記制御部は、前記動作モードの夫々について、燃料経済性に対する前記ＥＡＴＳから排出されるＮＯＸレベルのマップを少なくとも周期的に更新するように、プログラム化されていることを特徴とする請求項１８に記載のディーゼルエンジン装置。
【請求項２５】
前記制御部は、前記動作モードの夫々について、前記マップを継続的に更新するように、プログラム化されていることを特徴とする請求項２４に記載のディーゼルエンジン装置。
【発明の詳細な説明】
【技術分野】
【０００１】
本発明は、概して、ディーゼルエンジンの動作方法、ならびに、ディーゼルエンジン装置に関し、特に、複数の動作モードを伴う当該方法及び当該ディーゼルエンジン装置に関する。
【背景技術】
【０００２】
ディーゼルエンジンは、多くの場合において、基礎エンジンアクチュエータの１つ以上の異なるセットポイントについて互いに異なる複数の個別の動作モードで動作する。例えば、ある動作モードにおいて、ＥＧＲラインを含むエンジン装置は、ＥＧＲ弁が開くセットポイントを有する一方、別の動作モードにおいては、ＥＧＲ弁は閉じていてもよい。
【０００３】
いくつかのエンジンは、特定の方法で異なる動作モードについて設定される種々の異なる基礎アクチュエータを有するように制御されている。例えば、基礎アクチュエータのある設定においては、「燃料節約モード」が規定されてもよく、燃料節約モードは、例えばエンジン装置から出力されるＮＯＸレベルに関わらず燃料を節約することを目的とする。基礎アクチュエータの別の設定においては、「低熱モード」が規定されてもよく、低熱モードは、特定のエンジン温度又は特定の温度の排気を生じることを目的とする。基礎アクチュエータのさらに別の設定においては、「高熱モード」が規定されてもよく、高熱モードは、ディーゼル微粒子捕集フィルタ（ＤＰＦ）の能動再生等のために、低熱モードより高いエンジン又は排気温度を生じることを目的とする。
【発明の概要】
【発明が解決しようとする課題】
【０００４】
多くの国における大気質規制によって、現在、例えば車両からの窒素酸化物（ＮＯＸ）等の各種放出物が制限されている。各種排気後処理システム及び部品は、これらの要件を満たすように開発されている。当該要件を満たすために、通常、一定の動作条件下において放出制限が満たされているか否かが着目される。本願発明者が認識したところでは、放出制限を満たす一組の基礎アクチュエータ制御セットポイントでの動作に対する、放出制限を満たす別の一組の基礎アクチュエータ制御セットポイントでの動作の相対的な燃料経済性について実質的に考慮されていない。また、本願発明者がさらに認識したところでは、より良好な燃料経済性を得るために、放出制限を満たすモードで現状動作していても、当該動作モードから別の動作モードに切り替えることが望ましい場合がある。
【課題を解決するための手段】
【０００５】
本発明の一態様によれば、排気ＮＯＸレベルを制御する１つ以上の装置を有する排気後処理システム（ＥＡＴＳ）を備えるディーゼルエンジンの動作方法において、エンジンは、複数のシステム及び部品を備え、複数のシステム及び部品の少なくとも一部は、エンジンの１つ以上の基礎アクチュエータの１つ以上の制御セットポイントに設定されるように構成される方法を提供する。当該方法は、複数のエンジン動作モードを規定する工程において、動作モードの夫々は、少なくとも１つの制御セットポイントについてその他の任意の動作モードと異なる工程と、動作モードの夫々について、燃料経済性に対してＥＡＴＳから排出されるＮＯＸレベルをマッピングする工程と、ＥＡＴＳから排出される排気が所定のＮＯＸレベル以上のＮＯＸを含まず、最小量の燃料が単位エネルギー毎に消費されるように、複数の動作モードから１つを選択する工程と、選択された動作モードでエンジンを動作させる工程と、を含む。
【０００６】
本発明の別の態様によれば、排気ＮＯＸレベルを制御する１つ以上の装置を有する排気後処理システム（ＥＡＴＳ）を備えるディーゼルエンジンの動作方法を提供する。当該方法は、エンジンの複数の基礎アクチュエータの第１の一連の制御セットポイントを使用する第１モードでエンジンを動作させる工程と、複数の基礎アクチュエータの第２の一連の制御セットポイントを使用する第２モードでエンジンを動作させる工程において、第１及び第２の一連の制御セットポイントの少なくとも１つが互いに異なる工程と、第１及び第２モードにおいて、複数のエンジン速度及び負荷について、ＥＡＴＳを通る排気質量又は体積流量、ＥＡＴＳから排出されるＮＯＸレベル、及びＥＡＴＳにおける温度をエンジンに対して追跡をする工程と、一定のエンジン速度及び負荷について、ＥＡＴＳから排出される排気が所定のＮＯＸレベル以上のＮＯＸを含まず、最小量の燃料が単位エネルギー毎に消費されるように、第１及び第２モードの１つが選択される工程と、を含む。
【０００７】
本発明のさらに別の態様によれば、ディーゼルエンジン装置は、排気後処理システム（ＥＡＴＳ）を有するディーゼルエンジンと、ＥＡＴＳから排出されるＮＯＸレベルを検出するように配置されるＮＯＸセンサと、ＮＯＸセンサから信号を受信するように配置される制御部と、を備え、制御部は、複数のエンジン動作モードについて、燃料経済性に対するＥＡＴＳから排出されるＮＯＸレベルのマップを含み、エンジン動作モードの夫々は、エンジンの少なくとも１つの基礎アクチュエータについて、その他の任意のエンジン動作モードと異なり、制御部は、プログラム化されており、それにより、複数の動作モードの１つを選択し、一定のエンジン速度及び負荷について、ＥＡＴＳから排出される排気が所定ＮＯＸレベル以上のＮＯＸを含まず、最小量の燃料が単位エネルギー毎に消費されるように、選択された動作モードでエンジンを動作させる。
【０００８】
本発明の作用効果は、図面を参照して以下の詳細な説明を解釈することによって十分に理解され、図面において、同様の符号は同様の要素を示す。
【図面の簡単な説明】
【０００９】
【図１】本発明の一態様に係るエンジン装置の概略図である。
【図２】例示的エンジンが特定のエンジン負荷及び速度で費やした時間の割合の記録を示すグラフである。
【図３】本発明の一態様に係る、燃費とシステム放出ＮＯＸレベルとの関係をエンジンについて示すグラフである。
【発明を実施するための形態】
【００１０】
図１は、本発明の一態様に係るディーゼルエンジン装置２１を示す。ディーゼルエンジン装置２１は、排気後処理システム（ＥＡＴＳ）２５を有するディーゼルエンジン２３を含む。ＮＯＸセンサ２７は、ＥＡＴＳ２５から排出するＮＯＸレベルを検出するように配置される。ディーゼルエンジン装置２１は、特に、トラック等の車両における使用に有用であるが、その他の種々の用途にも使用可能である。
【００１１】
ディーゼルエンジン装置２１は、エンジン２３の上流側において圧縮機２９を含み得る。圧縮機２９は、通常、周囲空気を圧縮する。圧縮機２９は、ターボ過給機３３の一部として、タービン３１に結合可能である。エンジン装置２１は、さらに、エンジンの上流側且つ圧縮機の下流側に設けられる給気冷却器（ＣＡＣ）３５と、エンジンの上流側且つ給気冷却器の下流側に設けられる絞り弁３７と、シリンダ４０用のエンジンシリンダ吸気弁３９と、シリンダ排気弁４１と、燃料噴射弁４３と、燃料ポンプ４５と、排ガス再循環（ＥＧＲ）弁４９を有する排ガス再循環（ＥＧＲ）ライン４７と、を含み得る。ＥＧＲライン４７は、通常、エンジン２３の下流側且つタービン３１の上流側の地点からエンジンの上流側の地点まで至る。冷却器５１は、ＥＧＲライン４７においてＥＧＲ弁４９とエンジンの上流側の地点との間に設けられてもよい。また、冷却器５１におけるＥＧＲガスの冷却を望まない場合には、バイパスライン５３は、ＥＧＲ弁４９とエンジン２３の上流側の地点との間に接続されてもよい。
【００１２】
エンジン２１は、ここにおいてエンジンの基礎アクチュエータと称される１つ以上の制御セットポイントを変更することによって、異なる複数の動作モードで動作可能である。基礎アクチュエータは、異なる速度及び負荷でのエンジンの動作に影響を及ぼすエンジンの部品として定義されるものとする。例えば、圧縮機２９（及びターボ過給機３３の対応するタービン３１）のセットポイントは、エンジン吸気圧を変えるように変更され、ＣＡＣ３５のセットポイントは、例えばＣＡＣをバイパスすることによって、燃焼室温度を変えるように変更され、吸気絞り弁３７のセットポイントは、エンジン吸気量及びエンジン吸気圧を変えるように変更され、シリンダ吸気弁３９及び／又はシリンダ排気弁４１のセットポイントは、当該弁の開弁のタイミングを早めるか遅くすることによって変更され、燃料噴射弁４３のセットポイントは、当該弁の開弁のタイミングを早めるか遅くすることによって変更され、燃料ポンプ４５のセットポイントは、圧力を増減させることによって変更され、タービン３３のセットポイントは、タービン背圧を増減させることによって変更され、ＥＧＲ弁４９のセットポイントは、当該バルブを完全に開閉するか、部分的に開閉することによって変更可能である。上記は、単に基礎エンジンアクチュエータ及びセットポイントの変更方法を説明するためのものであることに留意されたい。多くのエンジンコンセプトにおいては、より多数の基礎アクチュエータ、より少数の基礎アクチュエータ、又は異なる基礎アクチュエータが含まれていてもよく、多くの基礎アクチュエータは、上述以外の方法でも変更可能なセットポイントを有していてもよい。異なる種類のエンジンコンセプトについては、例えば、ターボコンパウンド装置を含むエンジン装置、ＥＧＲを有さないエンジン装置、可変ジオメトリータービンと、多数のターボ過給機と、多段ターボ過給機と、ツインターボとを含むエンジン装置、ＥＧＲを有する可変ジオメトリータービンと、ＥＧＲを有する固定ジオメトリータービンと、２サイクルエンジンと、４サイクルエンジンとを含むエンジン装置、を含むが、これに限定されるものではない。
【００１３】
ディーゼルエンジン装置２１のＥＡＴＳ２５は、通常、複数の排気後処理装置を含み、当該排気後処理装置は、例えば、ディーゼル酸化触媒（ＤＯＣ）５５と、通常ＤＯＣの上流側において燃料を導入する噴射器５７と、ディーゼル微粒子捕集フィルタ（ＤＰＦ）５９と、選択触媒還元触媒（ＳＣＲ）６１と、ＳＣＲの上流側において還元剤を注入する還元剤噴射器６３と、リーンＮＯＸトラップ６５と、を含む。上記は、単にＥＡＴＳ２５の通常の部品を説明するためのものである。ＥＡＴＳ２５は、必ずしも説明した全ての部品を含まなくてもよく、付加的な排気後処理部品又は異なる排気後処理部品を含み得る。
【００１４】
制御部６７は、ＮＯＸセンサ２７等のセンサ、その他の基礎アクチュエータ及びＥＡＴＳ２５の部品の全て又は一部、ならびに、エンジン装置又はそれより大型のシステムの一部を構成するその他の部品からの信号を受信するように配置され、当該大型のシステムは、例えばエンジン装置が設けられる車両等、エンジン装置が一部となっているシステムである。制御部６７は、複数のエンジン動作モードについて、燃料経済性に対するＥＡＴＳ２５から排出されるＮＯＸレベル（ＮＯＸセンサ２７によって測定可能）のマップを有しており、各エンジン動作モードは、エンジン２３の少なくとも１つの基礎アクチュエータについて、その他の任意のエンジン動作モードと異なる。制御部６７はプログラム化されており、これにより、複数の動作モードの１つを選択し、一定のエンジン速度及び負荷について、ＥＡＴＳ２５から排出される排気が所定のＮＯＸレベル以上のＮＯＸを含まず、最小量の燃料が単位エネルギー毎に消費されるように、選択された動作モードでエンジンを動作させる。
【００１５】
燃料経済性対ＮＯＸレベルマップは、各種エンジン速度及び負荷でのこれらのレベルを周期的又は継続的に記録することによって、周期的又は継続的に更新される。エンジンが異なる速度及び負荷で費やす時間もまた、通常追跡され、継続的又は周期的に更新される。例示的エンジンが異なる速度（ｓｐｄ＿Ｅｎｇｉｎｅ）及び負荷（Ｔｒｑ＿Ｅｎｇｉｎｅ）で費やした時間の割合の記録を示すグラフ又はマップを図２において示す。燃料経済性及びＮＯＸレベルは、各種動作モードにおける各種エンジン速度及び負荷についてマッピングされる。当該マップは、周期的又は継続的に更新されることにより、各種エンジン速度及び負荷での燃料経済性及びＮＯＸレベルの変化を反映可能であり、当該変化は、例えばＥＡＴＳ部品の経年劣化等の変化を含み得る。
【００１６】
さらに、特定のエンジンについて、それが異なる速度及び負荷で費やす時間のマップが利用可能な動作モードの１つ以上において変化するときに、当該モードにおける算出燃料経済性も変化する。燃料経済性及びＮＯＸレベルは、図２に示すような各種エンジン速度及び負荷での時間のマップに基づき、結果として、エンジン速度及び負荷に係る時間のマップが変化するときに、記録された各種エンジン速度及び負荷での燃料経済性対ＮＯＸレベルマップもまた変化する。
【００１７】
通常、エンジン装置２１は、少なくとも２つの動作モードを有しており、当該動作モードは、「通常動作モード」及び「エンジン熱モード」として広く述べられてもよい。異なる各種モードが通常動作モードの範囲内で規定されてもよく、例えば、燃費を最適化するように設定され、高いＮＯＸレベルをもたらし得る「燃料節約モード」、エンジンがアイドリングしているが、低いＮＯＸレベルを保つように設定されている「低ＮＯＸアイドリングモード」、エンジンが通常動作には冷た過ぎるときの「低温始動モード」、ＥＧＲ弁４９が全閉又は部分的に閉じられているときに使用される「ＥＧＲ保護モード」、ならびに、低車両速度でのロバスト動作に使用される「オフハイウェイモード」等を含み得る。エンジン熱モードは、通常、異なるモードを含み、例えば、走行中の車両における排気温度が通常動作で生じる温度を超えて上昇し、例えば暖かいＥＧＲガス又はＣＡＣのバイパス等に起因するある種の燃料ペナルティを通常伴う「低熱モード」、走行中の車両における排気温度がさらに上昇し、装置（例えば、限定されないが、ＥＡＴＳ２５における背圧を上昇させる弁６８等）の動作等に起因するある種の燃料ペナルティをさらに伴う「高熱モード」、ならびに、「高熱停車モード」等を含み得る。その他の動作モードも、例えば異なるエンジンコンセプトでの使用のために規定可能であり、全てのエンジンコンセプトが同一の動作モードを有していなくてもよい。
【００１８】
本願の目的のために、３つのエンジン動作モード、即ち燃料節約モード、低熱モード、及び高熱モードを有するエンジン装置２１を説明する。尚、本発明は、付加的な動作モード又はその他の動作モードを有するエンジン装置に適用可能である。燃料節約モード、低熱モード、及び高熱モードについて、エンジン２３は、１つ以上のエンジン動作パラメータを調整することによって、高ＮＯＸモードと低ＮＯＸモードとの間を補間するように構成されるが、全ての動作モードについて当てはまるわけではない。説明のために、高ＮＯＸモードと低ＮＯＸモードとの間の補間は直線に沿って起こると仮定するが、これに限られるものではない。エンジン動作パラメータは、１つ以上の基礎アクチュエータセットポイント、あるいは、エンジン負荷、エンジン速度、燃料経済性、及び／又はエンジン排ガス温度に影響を与えるその他の動作パラメータの調整に関連し得る。
【００１９】
制御部６７はプログラム化されており、それにより、いずれの動作モード（燃料節約モード、低熱モード、又は高熱モード）についても、エンジン２３は、選択された動作モードにおいて、排気ＮＯＸレベルが所定のＮＯＸレベルかそれ以下になる地点を超えないところまで高ＮＯＸモードに向かって補間可能である。図３のグラフから明らかなように、エンジン２３が、選択された動作モード（図３の例では燃料節約モード）での動作中に、高ＮＯＸモードに向かって補間するときに、ＮＯＸレベルが所定のＮＯＸレベル（例示では、０．４０ｇ／ｋＷｈ）に到達するかそれ以前に、ＥＡＴＳから排出される排気が所定のＮＯＸレベル以上のＮＯＸを含まず、最小量の燃料が単位エネルギー毎に消費されるように、異なるエンジン動作モード（例示では、低熱モード）が複数の動作モードから選択される。図３のグラフの拡大部分から明らかなように、燃料節約モードの燃費は、システム放出ＮＯＸが目標値の０．４０ｇ／ｋＷｈに近くなる地点までは、低熱モードの燃費よりも低く、それ以降は、低熱モードの燃費は、燃料節約モードの燃費よりも低くなる。低熱モードの燃費が燃料節約モードの燃費よりも低くなる動作領域を図３において斜線によって示す。
【００２０】
制御部６７は、動作モードの選択、ならびに、当該動作モードでの動作を行うようにプログラム化可能であり、それにより所定ＮＯＸレベルを下回るＮＯＸレベルをもたらし、トリガイベントの発生後に最小燃費をもたらす。トリガイベントは、例えば、５分、１０分、１５分、又は３０分等の所定時間の経過等であってもよい。トリガイベントは、その他のイベントであってもよく、例えば、センサは、各種状況を継続的に監視し、制御部６７は、適切な動作モードを自動的に選択し、一連の状況のうち特定の状況の検出時に、選択された動作モードで動作するようにプログラム化されていてもよい。例えば、特定の動作モードの選択、ならびに、当該動作モードでの動作を引き起こす状況又は一連の状況は、車両が高速からより密集している都市街路に入ったことで減速することによるものであってもよく、例えばエンジン負荷、エンジン速度、及び排ガス温度の変化をもたらし得る。
【００２１】
制御部６７は、各動作モードについて、燃料経済性に対するＥＡＴＳ２５から排出されるＮＯＸレベルのマップを少なくとも周期的に更新するようにプログラム化可能である。制御部６７は、各動作モードについて、燃料経済性に対するＥＡＴＳ２５から排出されるＮＯＸレベルのマップを継続的に更新するようにプログラム化可能である。いずれの場合においても、各動作モードについて、燃料経済性に対するＥＡＴＳ２５から排出されるＮＯＸレベルのマップを周期的又は継続的に更新することによって、エンジン装置２１は、ＥＡＴＳ部品の経年劣化等の変化に対して動作を調整可能である。例えば、ＤＯＣ５５、ＤＰＦ５９、ＳＣＲ６１、及びリーンＮＯＸトラップ６５が経年劣化するにつれて、夫々のＮＯＸレベルに対する影響が変化する。燃費及び／又はＮＯＸレベルに影響を与える可能性のある、エンジン装置のその他の部品の損傷又はその経年劣化の場合において、マップの周期的又は継続的な更新によって、最適な動作モードが確実に選択されるように補助可能である。
【００２２】
図１に示すディーゼルエンジン２３とＥＡＴＳ２５とを含むディーゼルエンジン装置２１について、ディーゼルエンジン装置の動作方法を説明する。ＥＡＴＳ２５は、排気ＮＯＸレベルを制御する１つ以上の装置を備え、当該装置は、例えば、ＤＯＣ５５、ＤＰＦ５９、ＳＣＲ６１、及びリーンＮＯＸトラップ６５である。エンジン２３は、複数のシステム及び部品を備え、それらの少なくとも一部は、エンジンの１つ以上の基礎アクチュエータの１つ以上の制御セットポイントに設定されるように構成される。当該方法は、複数のエンジン動作モードを規定する工程を含み、動作モードの夫々は、少なくとも１つの制御セットポイントについてその他の任意の動作モードと異なる。動作モードの３つの例は、図３に示す燃料節約モード、低熱モード、及び高熱モードである。
【００２３】
各動作モードについて、ＥＡＴＳ２５から排出されるＮＯＸレベルに対する燃料経済性は、図３のようにマッピングされる。燃料経済性に対するシステム放出ＮＯＸのマッピング工程は、ＥＡＴＳ２５を通る排気質量流量、ＥＡＴＳから排出されるＮＯＸレベル、及びＥＡＴＳにおける温度を決定する工程を含み得る。当該決定工程は、決定を行うためのエンジン速度及び負荷の記録工程を含む。ＥＡＴＳ２５における温度は、ＳＣＲ６１の温度を含み得る。ＳＣＲ６１は、通常、排気流からのＮＯＸの除去に寄与する主要要素の１つである。通常、ＳＣＲ６１における温度が高ければ高いほど、より多くのＮＯＸが除去され、燃費が高くなる傾向がある。また、ＥＡＴＳ２５を通る排気質量（又は体積）流量は、通常、ＮＯＸレベルに関連する。通常、負荷及び速度が高くなればなるほど質量又は体積流量が多くなり、質量又は体積流量が多くなれば多くの燃料を消費する。質量又は体積流量が多ければ多いほど、ＥＡＴＳにおける滞留時間が短くなる。結果として、単位質量又は体積毎のＮＯＸの除去が少なくなる。ＳＣＲにおけるＮＯＸは、通常、温度が上昇するにつれて低減され、排気流量が低いときに低減される。ＳＣＲにおけるＮＯＸが低減されればされるほど、許容エンジン放出ＮＯＸが高くなる。通常、エンジン放出ＮＯＸが高ければ高いほど、より良好な燃料経済性を示す。
【００２４】
ＥＡＴＳから排出される排気が所定ＮＯＸレベル以上のＮＯＸを含まず、最小量の燃料が単位エネルギー毎に消費されるように、複数の動作モードから１つが選択される。そして、エンジン２３は、選択された動作モードで動作する。
【００２５】
上述の動作モードの夫々について、エンジン２３は、１つ以上のエンジン動作パラメータを調整することによって、高ＮＯＸモードと低ＮＯＸモードとの間を補間するように構成される。本願方法において、エンジンは、１つ以上のエンジン動作パラメータを調整することによって、選択された動作モードにおいて高ＮＯＸモードと低ＮＯＸモードとの間の範囲の少なくとも一部に沿って補間する。説明のために、上述の３つの動作モードに対する高ＮＯＸモードと低ＮＯＸモードとの間の補間は、直線に沿って起こるものと仮定するが、これに限定されるものではない。エンジン動作パラメータは、１つ以上の基礎アクチュエータセットポイント、あるいは、エンジン負荷、エンジン速度、及び／又はエンジン排ガス温度に影響を与えるその他の動作パラメータの調整に関連し得る。
【００２６】
選択された動作モードにおいて高ＮＯＸモードに向かってエンジンが補間するように１つ以上の動作エンジンパラメータを調整するときに、エンジンの動作を制御し、排気ＮＯＸレベルが所定のＮＯＸレベルかそれ以下になる地点を超えないところまでエンジンが補間可能となるように、制御部６７はプログラム化可能である。図３において、所定ＮＯＸレベルは、０．４０ｇ／ｋＷｈに設定されており、垂直破線で示される。例えば、一般的に、低熱モード又は高熱モードでの動作に比べて燃料節約モードで動作する方がより燃費効率がよい場合があるが、これは、ＥＡＴＳ２５から排出されるＮＯＸレベルが十分に低く、ＮＯＸレベルが所定ＮＯＸレベルに達するまでに限る。図２から明らかなように、燃料節約モードでの動作中、ＮＯＸレベルが所定ＮＯＸレベルに近づくと、複数の動作モードのうちの異なるエンジン動作モード、即ち低熱モードでの動作が、燃料節約モードでの動作に比べてより燃料効率が良くなり、制御部６７は、ＥＡＴＳから排出される排気が所定ＮＯＸレベル以上のＮＯＸを含まず、最小量の燃料が単位エネルギー毎に消費されるように、動作モードの選択を低熱モードに変更する。そして、エンジン２３は、燃料節約モードでの動作が再びより良好な燃料効率を示す地点まで、低熱モードの低ＮＯＸモードに向かって下方に低熱モード曲線に沿って補間する時まで、低熱モードで動作する。
【００２７】
図３は、３つの異なる動作モードを示し、当該動作モードは、本願方法を説明するために、表１において示す値を有する。
【表１】
2016502029.tif 000003
図３は、ＥＡＴＳ２５から出る目標値又は所定の最大ＮＯＸレベルを示し、０．４０ｇ／ｋＷｈに設定されており、当該値は、ＮＯＸの法定限界値、あるいは、法定限界値に安全率を加算した値に対応してもよい。所定の最大ＮＯＸレベルにおける各動作モードに対する高ＮＯＸモードと低ＮＯＸモードとの間の直線補間を仮定し、以下の表２は、燃料節約モード及び低熱モードで許容される最大ＮＯＸレベル（０．４０ｇ／ｋＷｈ）での燃費、ならびに、高熱モードでの動作中に出力可能な最大ＮＯＸレベル（０．１５ｇ／ｋＷｈ）での燃費を示す。
【表２】
2016502029.tif 000004
当該例において、ＥＡＴＳ２５から排出されるシステム放出ＮＯＸが目標値の０．４０ｇ／ｋＷｈであるときに、低熱モードでの動作による燃費は、燃料節約モードでの動作による燃費よりも低い。従って、当該例において、制御部６７は、システム放出ＮＯＸレベルが目標値に近いときには、燃料節約モードでの動作の代わりに低熱モードでの動作を通常選択する。制御部６７は、オペレータ又はプログラムのその他のアスペクトがＤＰＦ５９の能動再生等を行うために高熱モードでの動作を特に要求するときを除いて、高熱モードでの動作を通常選択しない。勿論、本発明の態様が適用可能な各種エンジンに対する動作モードの特徴は、表１及び表２に示す例とは実質的に異なってもよい。
【００２８】
動作モードを選択して、選択された動作モードでエンジン２３を動作させる工程は、トリガイベントの発生後に繰り返されてもよい。トリガイベントは、例えば、５分、１０分、１５分、３０分等の所定の時間の経過等であってもよい。トリガイベントは、その他のイベントであってもよく、例えば、センサは、各種状況を継続的に監視し、制御部６７は、適切な動作モードを自動的に選択し、一連の状況のうち特定の状況の検出時に、選択された動作モードで動作するようにプログラム化されていてもよい。例えば、特定の動作モードの選択、ならびに、当該動作モードでの動作を引き起こす状況又は一連の状況は、車両が高速からより密集している都市街路に入ったことで減速することによるものであってもよく、例えばエンジン負荷、エンジン速度、及び排ガス温度の変化をもたらし得る。
【００２９】
各動作モードについての燃料経済性に対するＥＡＴＳ２５から排出されるＮＯＸレベルのマップは、通常、周期的又は継続的に更新される。例えば、ＥＡＴＳ２５の部品が経年劣化するにつれて、燃費対ＮＯＸレベルマップは、一般的に、図３に示すグラフの右側に移動することが予想される。マップを周期的又は継続的に更新することによって、ある動作モードか別の動作モードで動作するのが好ましいかどうかの決定は、時間と共に変更してもよい。
【００３０】
ディーゼルエンジン２３と、排気ＮＯＸレベルを制御する１つ以上の装置を有するＥＡＴＳ２５と、を含むディーゼルエンジン装置２１の動作方法は、エンジンの複数の基礎アクチュエータの第１の一連の制御セットポイントを使用する第１モードでエンジンを動作させる工程と、複数の基礎アクチュエータの第２の一連の制御セットポイントを使用する第２モードでエンジンを動作させる工程において、第１及び第２の一連の制御セットポイントの少なくとも１つが互いに異なる工程と、を伴うものとして説明されてもよい。当該方法は、第１及び第２モードにおいて、複数のエンジン速度及び負荷について、ＥＡＴＳ２５を通る排気質量又は体積流量、ＥＡＴＳから排出されるＮＯＸレベル、及びＥＡＴＳにおける温度をエンジン２３に対して追跡をする工程を伴う。そして、一定のエンジン速度及び負荷について、ＥＡＴＳから排出される排気が所定のＮＯＸレベル以上のＮＯＸを含まず、最小量の燃料が単位エネルギー毎に消費されるように、第１及び第２モードの１つが選択される。第１及び第２の動作モードの夫々について、エンジン２３は、１つ以上のエンジン動作パラメータを調整することによって、高ＮＯＸモードと低ＮＯＸモードとの間を補間するように構成され、本願方法は、１つ以上のエンジン動作パラメータを調整することによって、選択された動作モードにおいて高ＮＯＸモードと低ＮＯＸモードとの間の範囲の少なくとも一部に沿って補間する工程をさらに含む。本願方法は、選択された動作モードでの動作中にエンジンが高ＮＯＸモードに向かって補間するように１つ以上の動作エンジンパラメータを調整する工程と、ＮＯＸレベルが所定のＮＯＸレベルに到達するかそれ以前に、ＥＡＴＳから排出される排気が所定のＮＯＸレベル以上のＮＯＸを含まないように、別のエンジン動作モードを選択する工程と、をさらに含み得る。
【００３１】
本願において、「有する、備える」等の用語の使用は、オープンエンド形式であり、「含む」等の用語と同一の意味を有し、その他の構成、材料、又は行為を除外するものではない。同様に、「可能」又は「し得る、してもよい」等の用語の使用は、オープンエンド形式であり、ある構成、材料、又は行為が必ずしも必要ではないことを示しているが、これらの用語を使用しないことによって、ある構成、材料、又は行為が必要不可欠であることを示すものではない。ある構成、材料、又は行為が必要不可欠と現状で考えられる限りにおいて、その旨が明記される。
【００３２】
本発明は、好ましい実施形態について図示及び説明されたが、請求項に記載の発明から逸脱することなく変形及び変更が可能である。
【図１】
2016502029.tif 000005
【図２】
2016502029.tif 000006
【図３】
2016502029.tif 000007
【手続補正書】
【提出日】平成26年10月13日(2014.10.13)
【手続補正１】
【補正対象書類名】特許請求の範囲
【補正対象項目名】全文
【補正方法】変更
【補正の内容】
【特許請求の範囲】
【請求項１】
排気ＮＯＸレベルを制御する１つ以上の装置を有する排気後処理システム（ＥＡＴＳ）を備えるディーゼルエンジンの動作方法において、前記エンジンは、複数のシステム及び部品を備え、前記複数のシステム及び部品の少なくとも一部は、前記エンジンの１つ以上の基礎アクチュエータの１つ以上の制御セットポイントに設定されるように構成される方法であって、
複数のエンジン動作モードを規定する工程において、前記動作モードの夫々は、少なくとも１つの制御セットポイントについてその他の任意の動作モードと異なる工程と、
前記動作モードの夫々について、燃料経済性に対して前記ＥＡＴＳから排出されるＮＯＸレベルをマッピングする工程と、
前記ＥＡＴＳから排出される排気が所定のＮＯＸレベル以上のＮＯＸを含まず、最小量の燃料が単位エネルギー毎に消費されるように、前記複数の動作モードから１つを選択する工程と、
前記選択された動作モードで前記エンジンを動作させる工程と、を含み、
前記マッピング工程は、前記動作モードの夫々について、異なるエンジン速度及び負荷で費やす時間の記録、ならびに、前記記録されたエンジン速度及び負荷での燃料経済性及びＮＯＸレベルの記録を行う工程を含むことを特徴とする方法。
【請求項２】
前記マッピング工程は、前記動作モードの夫々について、異なるエンジン速度及び負荷で費やす時間の記録を更新する工程を含むことを特徴とする請求項１に記載の方法。
【請求項３】
前記マッピング工程は、前記動作モードの夫々について、前記異なるエンジン速度及び負荷での燃料経済性及びＮＯＸレベルの記録を更新する工程を含むことを特徴とする請求項２に記載の方法。
【請求項４】
前記動作モードの夫々について、前記エンジンは、１つ以上のエンジン動作パラメータを調整することによって、高ＮＯＸモードと低ＮＯＸモードとの間を補間するように構成され、１つ以上のエンジン動作パラメータを調整することによって、前記選択された動作モードにおいて前記高ＮＯＸモードと前記低ＮＯＸモードとの間の範囲の少なくとも一部に沿って補間する工程をさらに含むことを特徴とする請求項１に記載の方法。
【請求項５】
前記エンジンが、前記選択された動作モードにおいて、排気ＮＯＸレベルが前記所定のＮＯＸレベルかそれ以下になる地点を超えないところまで前記高ＮＯＸモードに向かって補間するように、１つ以上の動作エンジンパラメータを調整する工程をさらに含むことを特徴とする請求項４に記載の方法。
【請求項６】
前記選択された動作モードでの動作中に前記エンジンが前記高ＮＯＸモードに向かって補間するように１つ以上の動作エンジンパラメータを調整する工程と、ＮＯＸレベルが前記所定のＮＯＸレベルに到達するかそれ以前に、前記ＥＡＴＳから排出される排気が前記所定のＮＯＸレベル以上のＮＯＸを含まず、前記最小量の燃料が単位エネルギー毎に消費されるように、前記複数の動作モードから１つの異なるエンジン動作モードを選択する工程と、をさらに含むことを特徴とする請求項４に記載の方法。
【請求項７】
前記ディーゼルエンジンは、シリンダ吸気弁と、シリンダ排気弁と、燃料噴射弁と、燃料ポンプと、圧縮機と、タービンと、ターボ過給機と、吸気絞り弁と、給気冷却器と、排ガス再循環弁を有する排ガス再循環ラインとのうちの１つ以上を備え、前記制御セットポイントは、シリンダ吸気弁開弁タイミングと、シリンダ排気弁開弁タイミングと、燃料噴射弁開弁タイミングと、燃料ポンプ圧力と、圧縮機給気圧と、タービン背圧と、吸気絞り弁位置と、燃焼室温度と、排ガス再循環弁位置とのうちの１つ以上を含むことを特徴とする請求項１に記載の方法。
【請求項８】
前記マッピング工程は、前記ＥＡＴＳを通る排気質量又は体積流量、前記ＥＡＴＳから排出されるＮＯＸレベル、及び前記ＥＡＴＳにおける温度を決定する工程を含むことを特徴とする請求項１に記載の方法。
【請求項９】
前記ＥＡＴＳにおける温度は、選択触媒還元（ＳＣＲ）触媒の温度を含むことを特徴とする請求項８に記載の方法。
【請求項１０】
トリガイベントの発生後に前記選択工程及び前記動作工程を繰り返す工程をさらに含むことを特徴とする請求項１に記載の方法。
【請求項１１】
前記トリガイベントは、所定時間の経過を含むことを特徴とする請求項１０に記載の方法。
【請求項１２】
前記動作モードの夫々について、燃料経済性に対する前記ＥＡＴＳから排出されるＮＯＸレベルのマップを少なくとも周期的に更新する工程をさらに含むことを特徴とする請求項１に記載の方法。
【請求項１３】
前記動作モードの夫々について、前記マップを継続的に更新する工程をさらに含むことを特徴とする請求項１２に記載の方法。
【請求項１４】
排気ＮＯＸレベルを制御する１つ以上の装置を有する排気後処理システム（ＥＡＴＳ）を備えるディーゼルエンジンの動作方法において、
前記エンジンの複数の基礎アクチュエータの第１の一連の制御セットポイントを使用する第１モードで前記エンジンを動作させる工程と、
前記複数の基礎アクチュエータの第２の一連の制御セットポイントを使用する第２モードで前記エンジンを動作させる工程において、前記第１及び第２の一連の制御セットポイントの少なくとも１つが互いに異なる工程と、
前記第１及び第２モードにおいて、複数のエンジン速度及び負荷について、前記ＥＡＴＳを通る排気質量又は体積流量、前記ＥＡＴＳから排出されるＮＯＸレベル、及び前記ＥＡＴＳにおける温度を前記エンジンに対して追跡をする工程と、
一定のエンジン速度及び負荷について、前記ＥＡＴＳから排出される排気が所定のＮＯＸレベル以上のＮＯＸを含まず、最小量の燃料が単位エネルギー毎に消費されるように、前記第１及び第２モードの１つが選択される工程と、を含む方法。
【請求項１５】
前記第１及び第２の動作モードの夫々について、前記エンジンは、１つ以上のエンジン動作パラメータを調整することによって、高ＮＯＸモードと低ＮＯＸモードとの間を補間するように構成され、１つ以上のエンジン動作パラメータを調整することによって、前記選択された動作モードにおいて前記高ＮＯＸモードと前記低ＮＯＸモードとの間の範囲の少なくとも一部に沿って補間する工程をさらに含むことを特徴とする請求項１４に記載の方法。
【請求項１６】
前記選択された動作モードでの動作中に前記エンジンが前記高ＮＯＸモードに向かって補間するように１つ以上の動作エンジンパラメータを調整する工程と、ＮＯＸレベルが前記所定のＮＯＸレベルに到達するかそれ以前に、前記ＥＡＴＳから排出される排気が前記所定のＮＯＸレベル以上のＮＯＸを含まないように、別のエンジン動作モードを選択する工程と、をさらに含むことを特徴とする請求項１５に記載の方法。
【請求項１７】
排気後処理システム（ＥＡＴＳ）を有するディーゼルエンジンと、
前記ＥＡＴＳから排出されるＮＯＸレベルを検出するように配置されるＮＯＸセンサと、
前記ＮＯＸセンサから信号を受信するように配置される制御部と、を備え、
前記制御部は、複数のエンジン動作モードについて、燃料経済性に対する前記ＥＡＴＳから排出されるＮＯＸレベルのマップを含み、前記エンジン動作モードの夫々は、前記エンジンの少なくとも１つの基礎アクチュエータについて、その他の任意のエンジン動作モードと異なり、前記制御部は、プログラム化されており、それにより、前記複数の動作モードの１つを選択し、一定のエンジン速度及び負荷について、前記ＥＡＴＳから排出される排気が所定ＮＯＸレベル以上のＮＯＸを含まず、最小量の燃料が単位エネルギー毎に消費されるように、前記選択された動作モードで前記エンジンを動作させ、
前記動作モードの夫々について、前記エンジンは、１つ以上のエンジン動作パラメータを調整することによって、高ＮＯＸモードと低ＮＯＸモードとの間を補間するように構成され、前記制御部は、前記エンジンが、前記選択された動作モードにおいて、排気ＮＯＸレベルが前記所定のＮＯＸレベルかそれ以下になる地点を超えないところまで前記高ＮＯＸモードに向かって補間可能なように、プログラム化されていることを特徴とするディーゼルエンジン装置。
【請求項１８】
前記ディーゼルエンジンは、シリンダ吸気弁と、シリンダ排気弁と、燃料噴射弁と、燃料ポンプと、圧縮機と、タービンと、ターボ過給機と、吸気絞り弁と、給気冷却器と、排ガス再循環弁を有する排ガス再循環ラインとのうちの１つ以上を備え、制御セットポイントは、シリンダ吸気弁開弁タイミングと、シリンダ排気弁開弁タイミングと、燃料噴射弁開弁タイミングと、燃料ポンプ圧力と、圧縮機給気圧と、タービン背圧と、吸気絞り弁位置と、燃焼室温度と、排ガス再循環弁位置とのうちの１つ以上を含むことを特徴とする請求項１７に記載のディーゼルエンジン装置。
【請求項１９】
前記制御部がプログラム化されており、それにより、前記選択された動作モードでの動作中に前記エンジンが前記高ＮＯＸモードに向かって補間するように１つ以上の動作エンジンパラメータを調整するときに、ＮＯＸレベルが前記所定のＮＯＸレベルに到達するかそれ以前においては、前記ＥＡＴＳから排出される排気が前記所定のＮＯＸレベル以上のＮＯＸを含まず、前記最小量の燃料が単位エネルギー毎に消費されるように、前記複数の動作モードから異なるエンジン動作モードが選択されることを特徴とする請求項１７に記載のディーゼルエンジン装置。
【請求項２０】
前記制御部は、トリガイベントの発生後、動作モードの選択、ならびに、前記動作モードでの動作を行うように、プログラム化されていることを特徴とする請求項１７に記載のディーゼルエンジン装置。
【請求項２１】
前記トリガイベントは、所定時間の経過を含むことを特徴とする請求項２０に記載のディーゼルエンジン装置。
【請求項２２】
前記制御部は、前記動作モードの夫々について、燃料経済性に対する前記ＥＡＴＳから排出されるＮＯＸレベルのマップを少なくとも周期的に更新するように、プログラム化されていることを特徴とする請求項１７に記載のディーゼルエンジン装置。
【請求項２３】
前記制御部は、前記動作モードの夫々について、前記マップを継続的に更新するように、プログラム化されていることを特徴とする請求項２２に記載のディーゼルエンジン装置。
【国際調査報告】
2016502029.tif 000008